(57)【要約】【課題】検査治具の利便性を向上させること。【解決手段】目視検査の対象とされるシートフレームＷを固定するための検査治具１である。検査治具１は、シートフレームＷの取り付けられる取付部２と、取付部２を下側から支えるベース３と、ベース３に対して取付部２を回転可能に連結する回転連結部１０と、を有する。回転連結部１０が、取付部２をベース３に対して略鉛直方向の軸線Ｄ１の回りに回転可能に連結する鉛直連結軸１１と、取付部２を鉛直連結軸１１に対して鉛直方向とは交差する方向の軸線Ｄ２の回りに回転可能に連結する斜め連結軸１２と、を有する。【選択図】図１
2020051462.tif 000002
【特許請求の範囲】
【請求項１】
目視検査の対象とされる検査部品を固定するための検査治具であって、
前記検査部品の取り付けられる取付部と、
該取付部を下側から支えるベースと、
該ベースに対して前記取付部を回転可能に連結する回転連結部と、を有し、
前記回転連結部が、前記取付部を前記ベースに対して略鉛直方向の軸線回りに回転可能に連結する鉛直連結軸と、前記取付部を前記鉛直連結軸に対して鉛直方向とは交差する方向の軸線回りに回転可能に連結する交差連結軸と、を有する検査治具。
【請求項２】
請求項１に記載の検査治具であって、
前記交差連結軸が、前記鉛直連結軸の軸線上から斜め上がり方向に延びる斜め連結軸とされる検査治具。
【請求項３】
請求項１又は請求項２に記載の検査治具であって、
前記回転連結部が、前記交差連結軸を前記鉛直連結軸に対して略水平方向の軸線回りに起倒回転可能に連結する水平連結軸を更に有する検査治具。
【請求項４】
請求項３に記載の検査治具であって、
当該検査治具が、更に、前記交差連結軸を前記鉛直連結軸に対して前記水平連結軸の回りに起し上げる方向に付勢するバネを有する検査治具。
【請求項５】
請求項１から請求項４のいずれかに記載の検査治具であって、
当該検査治具が、更に、前記鉛直連結軸の軸線回りの回転と前記交差連結軸の軸線回りの回転とを、所定の回転角度にてプランジャによるスナップフィットにより個々に回転止めすることの可能な回転止め機構を有する検査治具。
【発明の詳細な説明】
【技術分野】
【０００１】
本発明は、検査治具に関する。詳しくは、目視検査の対象とされる検査部品を固定するための検査治具に関する。
【背景技術】
【０００２】
従来、各種製品の生産工程では、ワークを固定するための治具が用いられている（特許文献１）。同特許文献１に開示の治具は、ワークを挟持する挟持部が球体となっており、ワークを様々な向きで挟持することができるようになっている。
【先行技術文献】
【特許文献】
【０００３】
【特許文献１】特開２０１６−６８２３５号公報
【発明の概要】
【発明が解決しようとする課題】
【０００４】
上記従来技術では、ワークの取り付け姿勢を球体まわりにしか変化させることができないため、姿勢変化の自由度が低い。本発明は、上記問題を解決するものとして創案されたものであって、本発明が解決しようとする課題は、検査治具の利便性を向上させることにある。
【課題を解決するための手段】
【０００５】
上記課題を解決するために、本発明の検査治具は次の手段をとる。
【０００６】
すなわち、本発明の検査治具は、目視検査の対象とされる検査部品を固定するための検査治具であって、検査部品の取り付けられる取付部と、取付部を下側から支えるベースと、ベースに対して取付部を回転可能に連結する回転連結部と、を有する。回転連結部が、取付部をベースに対して略鉛直方向の軸線回りに回転可能に連結する鉛直連結軸と、取付部を鉛直連結軸に対して鉛直方向とは交差する方向の軸線回りに回転可能に連結する交差連結軸と、を有する。
【０００７】
上記構成によれば、回転連結部により、取付部にセットした検査部品を鉛直連結軸の回りに旋回させて目視検査することができる。また、検査部品を交差連結軸の回りに回転させて目視検査することもできる。また、検査部品を鉛直連結軸の回りと交差連結軸の回りとに同時に回転させて目視検査することもできる。このように、鉛直連結軸と交差連結軸とを組み合わせた構成により、検査治具の利便性を向上させることができる。
【０００８】
また、本発明の検査治具は、更に次のように構成されていてもよい。交差連結軸が、鉛直連結軸の軸線上から斜め上がり方向に延びる斜め連結軸とされる。
【０００９】
上記構成によれば、交差連結軸が斜め上がり向きの軸とされることで、取付部にセットした検査部品の鉛直連結軸の回りの旋回半径が縮小される。したがって、検査部品を小さな回転半径で旋回させることができる。また、検査部品を取付部に対して交差連結軸の延びる方向に真っ直ぐセットしても、検査部品を作業者から目視確認しやすい斜め上向きの角度にセットすることができる。
【００１０】
また、本発明の検査治具は、更に次のように構成されていてもよい。回転連結部が、交差連結軸を鉛直連結軸に対して略水平方向の軸線回りに起倒回転可能に連結する水平連結軸を更に有する。
【００１１】
上記構成によれば、取付部にセットした検査部品を水平連結軸の回りに倒すことで、検査部品を簡便に裏向けて目視確認することができる。
【００１２】
また、本発明の検査治具は、更に次のように構成されていてもよい。検査治具が、更に、交差連結軸を鉛直連結軸に対して水平連結軸の回りに起し上げる方向に付勢するバネを有する。
【００１３】
上記構成によれば、水平連結軸の回りに倒した検査部品を、バネの付勢力によって簡便に表向きに起こし上げることができる。
【００１４】
また、本発明の検査治具は、更に次のように構成されていてもよい。検査治具が、更に、鉛直連結軸の軸線回りの回転と交差連結軸の軸線回りの回転とを、所定の回転角度にてプランジャによるスナップフィットにより個々に回転止めすることの可能な回転止め機構を有する。
【００１５】
上記構成によれば、取付部にセットした検査部品を、鉛直連結軸の回りに旋回させた所定の回転角度、及び交差連結軸の回りに旋回させた所定の回転角度にてそれぞれ回転止めすることができる。したがって、検査部品を所定の回転角度に固定して、目視検査を簡便に行うことができる。
【図面の簡単な説明】
【００１６】
【図１】第１の実施形態の検査治具の概略構成を表した斜視図である。
【図２】検査治具の側面図である。
【図３】検査治具の正面図である。
【図４】検査治具の平面図である。
【図５】鉛直連結軸の回転止め機構を表した図２のＶ−Ｖ線断面図である。
【図６】斜め連結軸の回転止め機構を表した図２のＶＩ−ＶＩ線断面図である。
【図７】検査治具に検査部品をセットした状態を表した側面図である。
【図８】図７のセットした検査部品を斜め連結軸の回りに１８０度回転させた状態を表した側面図である。
【図９】図７のセットした検査部品を鉛直連結軸の回りに１８０度旋回させた状態を表した側面図である。
【図１０】図７のセットした検査部品を斜め連結軸の回りと鉛直連結軸の回りとに同時に回転させた状態を表した側面図である。
【図１１】図７のセットした検査部品を水平連結軸の回りに倒した状態を表した側面図である。
【図１２】図１１の倒した検査部品を斜め連結軸の回りに回転させた状態を表した側面図である。
【図１３】検査治具を図１１の状態から起こし上げた状態を表した側面図である。
【発明を実施するための形態】
【００１７】
以下に、本発明を実施するための形態について、図面を用いて説明する。
【００１８】
《第１の実施形態》
始めに、本発明の第１の実施形態に係る検査治具１の構成について、図１〜図１３を用いて説明する。なお、以下の説明において、前後上下左右等の各方向を示す場合には、各図中に示されたそれぞれの方向を指すものとする。
【００１９】
図１を参照して、本実施形態に係る検査治具１は、略枠状に形成された乗物用シートのシートフレームＷ（検査部品）を目視検査するための治具として構成されている。具体的には、検査治具１は、シートフレームＷの取り付けられる取付部２と、取付部２を床面上で下側から支えるベース３と、を有する。取付部２は、略枠状に形成されたシートフレームＷを仰向け状に上側からセットすることにより、同シートフレームＷを所定位置にスナップフィットさせて仰向け状の姿勢に位置固定することができるようになっている。
【００２０】
上記位置固定により、図１及び図７に示すように、作業者が、取付部２にセットしたシートフレームＷを、検査治具１の正面に立った位置から斜めに見下ろす形で目視検査することができる。上述した検査治具１は、更に、図１に示すように、上述した取付部２をベース３に対して回転可能に連結する回転連結部１０を有する。同回転連結部１０は、具体的には、図２〜図３に示すように、取付部２をベース３に対して鉛直方向の軸線Ｄ１の回りに回転可能に連結する鉛直連結軸１１を有する。また、回転連結部１０は、図２及び図４に示すように、取付部２をベース３に対して鉛直連結軸１１の軸線Ｄ１上から斜め上がり方向（交差する方向）に延びる軸線Ｄ２の回りに回転可能に連結する斜め連結軸１２を有する。ここで、斜め連結軸１２が本発明の「交差連結軸」に相当する。
【００２１】
上記の鉛直連結軸１１と斜め連結軸１２とは、図２に示すように、ベース３と取付部２との間に、後述する中間ブラケット５を介して高さ方向に直列状に繋がれた関係となっている。すなわち、鉛直連結軸１１は、中間ブラケット５をベース３に対して鉛直方向の軸線Ｄ１の回りに回転可能に連結している。また、斜め連結軸１２は、取付部２を中間ブラケット５に対して鉛直連結軸１１の軸線Ｄ１上から斜め上がり方向に延びる軸線Ｄ２の回りに回転可能に連結している。上述した鉛直連結軸１１と斜め連結軸１２とは、それぞれ、回転範囲の制限がなく、何回転も自由にぐるぐると回転させることができるようになっている。
【００２２】
上述した取付部２は、詳しくは、斜め連結軸１２に対して、その軸線Ｄ２の向く方向に真っ直ぐに向けられた形で連結されている。上記構成により、検査治具１は、図８に示すように、作業者が、取付部２にセットしたシートフレームＷを、その場で斜め連結軸１２の軸線Ｄ２の回りにぐるぐると旋回させることができるようになっている。それにより、作業者が、立ち位置を変えることなくその場で、シートフレームＷの向きを旋回方向にぐるぐると変えて、シートフレームＷの内外至る所の周囲面を様々な角度から簡便に目視検査することができる。
【００２３】
また、上記構成により、検査治具１は、図９に示すように、作業者が、取付部２にセットしたシートフレームＷを、その場で鉛直連結軸１１の軸線Ｄ１の回りにぐるぐると旋回させることもできるようになっている。それにより、作業者が、立ち位置を変えることなくその場で、シートフレームＷの向きを旋回方向にぐるぐると変えて、シートフレームＷの内外至る所の周囲面を様々な角度から簡便に目視検査することができる。
【００２４】
また、上記構成により、検査治具１は、図１０に示すように、作業者が、取付部２にセットしたシートフレームＷを、その場で斜め連結軸１２の軸線Ｄ２の回りに加えて鉛直連結軸１１の軸線Ｄ１の回りにも同時にぐるぐると旋回させることもできるようになっている。それにより、作業者が、立ち位置を変えることなくその場で、シートフレームＷの向きを旋回方向にぐるぐると変えて、シートフレームＷの内外至る所の周囲面を更に様々な角度から簡便に目視検査することができる。
【００２５】
上述した回転連結部１０は、更に、図１及び図２に示すように、上述した取付部２に連結された斜め連結軸１２を中間ブラケット５に対して水平方向の軸線Ｄ３の回りに起倒回転可能に連結する水平連結軸１３を有する。上記構成により、検査治具１は、図１１に示すように、作業者が、取付部２にセットしたシートフレームＷを、その場で水平連結軸１３の軸線Ｄ３の回りに略鉛直下向きとなる角度位置まで向こう側に倒し込むことができるようになっている。それにより、作業者が、立ち位置を変えることなくその場で、シートフレームＷを向こう側に倒し込んで、シートフレームＷの裏側の面を縦向きにした状態で簡便に目視検査することができる。
【００２６】
上述したシートフレームＷを水平連結軸１３の軸線Ｄ３の回りに縦向きに倒し込む最大の倒し込み位置は、シートフレームＷと共に倒れ込む斜め連結軸１２が、鉛直連結軸１１の軸線Ｄ１に対して直角向きとなる水平向きの角度位置に設定されている。したがって、シートフレームＷを縦向きに倒し込んだ後、図１２に示すように、作業者がシートフレームＷを水平向きとされた斜め連結軸１２の軸線Ｄ２の回りにぐるぐると旋回させて、シートフレームＷの向きを変えることが可能となる。それにより、作業者が、シートフレームＷを裏向きにおける様々な角度から簡便に目視検査することができる。
【００２７】
上述した検査治具１は、図１３に示すように、上記倒し込んだシートフレームＷを手前側に起こし上げることにより、斜め連結軸１２が鉛直上向き角度を越えて斜め上がりの傾斜角度まで傾けられる元の位置まで戻されるようになっている。それにより、水平連結軸１３が支える上側のパーツ全体の自重が斜め連結軸１２の傾き方向に掛けられることとなるため、シートフレームＷが起こし上げられた角度位置にバランスされて安定する。
【００２８】
以下、上述した検査治具１の各部の具体的な構成について説明する。図１〜図２に示すように、ベース３は、床面上に複数本の脚を放射状に広げた形となって接地される基部３Ａと、基部３Ａの中心から鉛直上向きに延びる支柱３Ｂと、を有する。上述した支柱３Ｂは、基部３Ａに対して上側から差し込まれており、基部３Ａとの間に設けられた高さ調節機構３０により基部３Ａに対する高さ位置を調節することができるようになっている。高さ調節機構３０は、基部３Ａに横から螺着された固定ネジ３１を有し、基部３Ａに支柱３Ｂが差し込まれた状態で固定ネジ３１を捩じ込んで支柱３Ｂに係合させることにより、支柱３Ｂを任意の差し込み位置に固定するようになっている。
【００２９】
鉛直連結軸１１は、上述したベース３の支柱３Ｂと、その直上に設けられる中間ブラケット５と、の間に鉛直向きに配設されている。詳しくは、鉛直連結軸１１は、その下端部が、支柱３Ｂの上端部に一体的に固定されている。そして、鉛直連結軸１１は、その上端部が、中間ブラケット５の下部に一体的に固定された円板形状の回転板４の中心部に相対回転可能な状態に連結されている。上記連結により、中間ブラケット５が、ベース３に対して、鉛直連結軸１１の鉛直方向に延びる軸線Ｄ１の回りに回転可能に支持されている。
【００３０】
斜め連結軸１２は、上述した中間ブラケット５と取付部２との間に、上述した鉛直連結軸１１の軸線Ｄ１上から斜め上がり方向に延びる向きに配設されている。上記斜め連結軸１２は、その下端部に、水平方向に逆Ｔ字形状に延びる水平連結軸１３が一体的に接続された構成とされている。そして、上記斜め連結軸１２は、その下端部の水平連結軸１３の両端部が、上述した中間ブラケット５における鉛直連結軸１１の軸線Ｄ１上の位置に相対回転可能な状態に連結されている。また、上記斜め連結軸１２は、その上端部が、取付部２の下部に一体的に固定された円板形状の回転板６の中心部に相対回転可能な状態に連結されている。
【００３１】
上記連結により、取付部２が、中間ブラケット５に対して、斜め連結軸１２の延びる軸線Ｄ２の回りに回転可能に支持されている。また、上記連結により、取付部２が、中間ブラケット５に対して、水平連結軸１３の延びる軸線Ｄ３の回りに回転可能に支持されている。上述した中間ブラケット５と水平連結軸１３との間には、水平連結軸１３を常時、中間ブラケット５に対して起こし上げる回転方向に付勢するバネ７が掛着されている。
【００３２】
また、上述した中間ブラケット５には、上記バネ７の付勢力により水平連結軸１３の軸線Ｄ３の回りに起こし上げられた取付部２の最大の起こし上げ位置を緩衝しながら受け止めて規制するダンパ８が設けられている。また、中間ブラケット５には、上記バネ７の付勢力に抗して水平連結軸１３の軸線Ｄ３の回りに倒し込まれた取付部２の最大の倒し込み位置を緩衝しながら受け止めて規制するダンパ９が設けられている。各ダンパ８，９は、斜め連結軸１２の中間部に一体的に結合された台座１４との当接により、取付部２の動きを減衰させながら受け止めるようになっている。
【００３３】
上記構成により、作業者が、図１１に示すように重量物であるシートフレームＷを倒し込む際に、バネ７の付勢力による抵抗作用とダンパ９の減衰作用とによって、重力方向に作用する勢いを低減させながら倒し込むことができる。また、作業者が、図１３に示すように重量物であるシートフレームＷを起こし上げる際に、バネ７の付勢力によるアシスト作用によって、起こし上げに必要な力が軽減されるようになっている。また、作業者が、シートフレームＷをダンパ８の減衰作用によって、重力方向に作用する勢いを減衰させながら元の傾斜した起こし上げ位置へと戻すことができる。
【００３４】
上述した検査治具１は、更に、図１〜図２に示すように、上述した鉛直連結軸１１の軸線Ｄ１の回りの回転と斜め連結軸１２の軸線Ｄ２の回りの回転とを、それぞれ９０度毎の回転角度にて、プランジャ２１，２２によるスナップフィットにより個々に回転止めすることの可能な回転止め機構２０を有する。具体的には、図２に示すように、回転止め機構２０は、上述した斜め連結軸１２の中間部に固定された台座１４上に設けられた一対のプランジャ２１と、支柱３Ｂの上端部に固定された台座３Ｃ上に設けられた一対のプランジャ２２と、を有する。
【００３５】
一対のプランジャ２１は、図５に示すように、回転板６を間に挟む左右２箇所の位置に分かれて配置されている。各プランジャ２１は、台座１４との間に掛着された不図示のバネの付勢力により、常時、回転板６の外周面上に押し付けられた状態として保持されている。また、回転板６の円周方向の４箇所の外周面部位には、各プランジャ２１を径方向に受け入れ可能な凹湾曲面形状の凹部６Ａが形成されている。これら凹部６Ａは、回転板６の円周方向の４箇所の位置に互いに等間隔（９０度間隔）に並んで配置されている。
【００３６】
上述した一対のプランジャ２１は、回転板６が斜め連結軸１２の軸線Ｄ２の回りに回転して、各凹部６Ａと円周方向の位置が合わされることにより、バネ付勢力により各凹部６Ａ内に一斉に入り込んで回転板６の回転を弾性的に係止させるようになっている。上記の係止状態は、図８に示すように、作業者がシートフレームＷを回転させる力によって回転板６に回転方向の操作力が入力されることによって解除されるようになっている。具体的には、上記操作力の入力により、図５で示した各プランジャ２１が、各凹部６Ａから径方向の外側に弾性的に押し外されて解除されるようになっている。
【００３７】
上述した各プランジャ２１により回転板６の回転止めをする位置は、図８に示すように、シートフレームＷ（取付部２）が斜め連結軸１２の軸線Ｄ２を中心に上向きとされる回転位置と、下向きとされる回転位置と、それらの間の各位置と、の計４箇所の位置に設定されている。上記の回転止め位置は、それ以外の位置であっても良いし、何度ピッチ又は何カ所の位置に設定されるものであっても良い。
【００３８】
また、別の一対のプランジャ２２も同様に、図６に示すように、回転板４を間に挟む左右２箇所の位置に分かれて配置されている。各プランジャ２２は、台座３Ｃとの間に掛着された不図示のバネの付勢力により、常時、回転板４の外周面上に押し付けられた状態として保持されている。また、回転板４の円周方向の４箇所の外周面部位には、各プランジャ２２を径方向に受け入れ可能な凹湾曲面形状の凹部４Ａが形成されている。これら凹部４Ａは、回転板４の円周方向の４箇所の位置に互いに等間隔（９０度間隔）に並んで配置されている。
【００３９】
上述した一対のプランジャ２２は、回転板４が鉛直連結軸１１の軸線Ｄ１の回りに回転して、各凹部４Ａと円周方向の位置が合わされることにより、バネ付勢力により各凹部４Ａ内に一斉に入り込んで回転板４の回転を弾性的に係止させるようになっている。上記の係止状態は、図９に示すように、作業者がシートフレームＷを回転させる力によって回転板４に回転方向の操作力が入力されることによって解除されるようになっている。具体的には、上記操作力の入力により、図６で示した各プランジャ２２が、各凹部４Ａから径方向の外側に弾性的に押し外されて解除されるようになっている。
【００４０】
上述した各プランジャ２２により回転板４の回転止めをする位置は、図９に示すように、シートフレームＷ（取付部２）が鉛直連結軸１１の軸線Ｄ１を中心に作業者の正面に向けられる回転位置と、鉛直連結軸１１を挟む向こう側に向けられる回転位置と、それらの間の各位置と、の計４箇所の位置に設定されている。上記の回転止め位置は、それ以外の位置であっても良いし、何度ピッチ又は何カ所の位置に設定されるものであっても良い。
【００４１】
上記回転止め機構２０により、図８〜図９に示すように、作業者が、シートフレームＷを上下反対向きや鉛直連結軸１１の軸線Ｄ１の回りに半周させた反転向きにした各段階でシートフレームＷの位置を弾性的に固定することができる。それにより、作業者が、それぞれの向きに切り換えたシートフレームＷを簡便に目視検査することができる。また、回転止め機構２０による回転止めの解除は、作業者が、シートフレームＷに回転方向の力を加えるだけの簡便な操作で済む。したがって、作業者が、シートフレームＷを様々な角度に切り換える作業を簡便に行うことができる。
【００４２】
以上をまとめると、第１の実施形態に係る検査治具１は次のような構成となっている。すなわち、目視検査の対象とされる検査部品（Ｗ）を固定するための検査治具（１）である。検査治具（１）は、検査部品（Ｗ）の取り付けられる取付部（２）と、取付部（２）を下側から支えるベース（３）と、ベース（３）に対して取付部（２）を回転可能に連結する回転連結部（１０）と、を有する。回転連結部（１０）が、取付部（２）をベース（３）に対して略鉛直方向の軸線（Ｄ１）の回りに回転可能に連結する鉛直連結軸（１１）と、取付部（２）を鉛直連結軸（１１）に対して鉛直方向とは交差する方向の軸線（Ｄ２）の回りに回転可能に連結する交差連結軸（１２）と、を有する。
【００４３】
上記構成によれば、回転連結部（１０）により、取付部（２）にセットした検査部品（Ｗ）を鉛直連結軸（１１）の回りに旋回させて目視検査することができる。また、検査部品（Ｗ）を交差連結軸（１２）の回りに回転させて目視検査することもできる。また、検査部品（Ｗ）を鉛直連結軸（１１）の回りと交差連結軸（１２）の回りとに同時に回転させて目視検査することもできる。このように、鉛直連結軸（１１）と交差連結軸（１２）とを組み合わせた構成により、検査治具（１）の利便性を向上させることができる。
【００４４】
また、交差連結軸（１２）が、鉛直連結軸（１１）の軸線（Ｄ１）上から斜め上がり方向に延びる斜め連結軸とされる。上記構成によれば、交差連結軸（１２）が斜め上がり向きの軸とされることで、取付部（２）にセットした検査部品（Ｗ）の鉛直連結軸（１１）の回りの旋回半径が縮小される。したがって、検査部品（Ｗ）を小さな回転半径で旋回させることができる。また、検査部品（Ｗ）を取付部（２）に対して交差連結軸（１２）の延びる方向に真っ直ぐセットしても、検査部品（Ｗ）を作業者から目視確認しやすい斜め上向きの角度にセットすることができる。
【００４５】
また、回転連結部（１０）が、交差連結軸（１２）を鉛直連結軸（１１）に対して略水平方向の軸線（Ｄ３）の回りに起倒回転可能に連結する水平連結軸（１３）を更に有する。上記構成によれば、取付部（２）にセットした検査部品（Ｗ）を水平連結軸（１３）の回りに倒すことで、検査部品（Ｗ）を簡便に裏向けて目視確認することができる。
【００４６】
また、検査治具（１）が、更に、交差連結軸（１２）を鉛直連結軸（１１）に対して水平連結軸（１３）の回りに起し上げる方向に付勢するバネ（７）を有する。上記構成によれば、水平連結軸（１３）の回りに倒した検査部品（Ｗ）を、バネ（７）の付勢力によって簡便に表向きに起こし上げることができる。
【００４７】
また、検査治具（１）が、更に、鉛直連結軸（１１）の軸線（Ｄ１）の回りの回転と交差連結軸（１２）の軸線（Ｄ２）の回りの回転とを、所定の回転角度にてプランジャ（２１，２２）によるスナップフィットにより個々に回転止めすることの可能な回転止め機構（２０）を有する。上記構成によれば、取付部（２）にセットした検査部品（Ｗ）を、鉛直連結軸（１１）の回りに旋回させた所定の回転角度、及び交差連結軸（１２）の回りに旋回させた所定の回転角度にてそれぞれ回転止めすることができる。したがって、検査部品（Ｗ）を所定の回転角度に固定して、目視検査を簡便に行うことができる。
【００４８】
《その他の実施形態について》
以上、本発明の実施形態を１つの実施形態を用いて説明したが、本発明は上記形態のほか、以下に示す様々な形態で実施することができるものである。
【００４９】
１．本発明の検査治具は、乗物用シートのシートフレームの他、自動車のバンパや内装材など、目視検査に供される様々な検査部品を固定するための治具として適用することができるものである。検査部品の取り付けられる取付部の形状や取付部の交差連結軸に対する取り付け向きは、上記実施形態に示したものに限らず、対象となる検査部品の形状や大きさ等の条件に応じて適宜設定されるものである。
【００５０】
２．交差連結軸は、取付部を鉛直連結軸に対して鉛直方向とは直交する方向の軸線回りに回転可能に連結するものであってもよい。
【００５１】
３．回転止め機構は、鉛直連結軸の軸線回りの回転と交差連結軸の軸線回りの回転とを摺動摩擦による抵抗力によって止めるものであっても良い。
【符号の説明】
【００５２】
１      検査治具
２      取付部
３      ベース
３Ａ    基部
３Ｂ    支柱
３Ｃ    台座
４      回転板
４Ａ    凹部
５      中間ブラケット
６      回転板
６Ａ    凹部
７      バネ
８      ダンパ
９      ダンパ
１０    回転連結部
１１    鉛直連結軸
１２    斜め連結軸（交差連結軸）
１３    水平連結軸
１４    台座
２０    回転止め機構
２１    プランジャ
２２    プランジャ
３０    高さ調節機構
３１    固定ネジ
Ｄ１    軸線
Ｄ２    軸線
Ｄ３    軸線
Ｗ      シートフレーム（検査部品）
【図１】
2020051462.tif 000003
【図２】
2020051462.tif 000004
【図３】
2020051462.tif 000005
【図４】
2020051462.tif 000006
【図５】
2020051462.tif 000007
【図６】
2020051462.tif 000008
【図７】
2020051462.tif 000009
【図８】
2020051462.tif 000010
【図９】
2020051462.tif 000011
【図１０】
2020051462.tif 000012
【図１１】
2020051462.tif 000013
【図１２】
2020051462.tif 000014
【図１３】
2020051462.tif 000015